(57)【要約】【課題】  空調ユニットの配置構成に工夫を凝らすことによって、前方上方視界の良好化を図るとともに、運転者に対しても十分な涼風を送ることのできるものを提供する。【解決手段】  キャビン１内のルーフ部７に、空調用のダクト１５と、空気に調整を加え空調ダクト１５にその調整済み空気を送り込む空調ユニットＡとを配置する。空調ユニットＡの機体前方側で機体左右側方位置に、夫々空調ダクト１５Ｂ、１５Ｂを配置してある。【選択図】        図３
2007062574.tif 000002
【特許請求の範囲】
【請求項１】
キャビン内のルーフ部に、空調用のダクトと、空気に調整を加え前記空調ダクトにその調整済み空気を送り込む空調ユニットとを配置してある作業車のキャビン用空調構造であって、
前記空調ユニットの機体前方側で機体左右側方位置に、夫々前記空調ダクトを配置してある作業車のキャビン用空調構造。
【請求項２】
キャビン内のルーフ部に、空調用のダクトと、空気に調整を加え前記空調ダクトにその調整済み空気を送り込む空調ユニットとを配置してある作業車のキャビン用空調構造であって、
前記空調ユニットの機体前方側で機体左右方向中間位置に、主空調ダクトを機体前後向姿勢で配置するとともに、前記主空調ダクトから左右方向に向けて枝空調ダクトを配置してある作業車のキャビン用空調構造。
【請求項３】
キャビン内のルーフ部に、空調用のダクトと、空気に調整を加え前記空調ダクトにその調整済み空気を送り込む空調ユニットとを配置してある作業車のキャビン用空調構造であって、
前記空調ユニットの機体前方側に、前記キャビンの左右側端又はその近傍に至る広幅のもので、かつ、前記キャビンの前端又はその近傍に至る長い空調ダクトを配置してある作業車のキャビン用空調構造。
【発明の詳細な説明】
【技術分野】
【０００１】
本発明は、キャビン内のルーフ部に、空調用のダクトと、空気に調整を加え前記空調ダクトにその調整済み空気を送り込む空調ユニットとを配置してある作業車のキャビン用空調構造に関する。
【背景技術】
【０００２】
空調ユニットを配置するに、ルーフ部の前半部を下向きに膨出する下り天井部に形成するとともに、その下り天井部の前端部に空調ユニットを配置するとともに、その空調ユニットより機体後方側でかつ機体両側方位置に空調ダクトを配置し、その空調ダクトに吹出口を設けて、運転席に着座している操縦者に涼風を送る構成を採っていた（例えば、特許文献１）。
【０００３】
【特許文献１】特開２００５−１５３７号公報（段落番号〔００１６〕、図１、図２）。
【発明の開示】
【発明が解決しようとする課題】
【０００４】
上記構成においては、空調ユニットを収納する為に、ルーフ部を下り天井部に形成してあるので、前方上方視界が狭められる虞があった。そうすると、フロントローダ作業を行う際に、運転席に座った状態ではバケットで掬い上げた作業部位の確認が難しい面があるところから、作業性が低下する虞があった。路上走行時には信号機が見え難いという面もあった。
また、空調ユニットがルーフ部の機体前方側に位置し、ルーフ部左右両側方に複数の吹出口を形成した空調ダクトを配置し、その空調ユニットからの空調済み空気を空調ダクトの吹出口から吹き出させて涼風を運転者等に送る構成を採っていた。しかし、空調ユニットから運転者に対応した吹出口まではかなり離れた位置にあるので、空気を送り出す送風抵抗が大きくなり、運転者に対して十分な涼風を送れないことがあった。
【０００５】
本発明の目的は、空調ユニットの配置構成に工夫を凝らすことによって、前方上方視界の良好化を図るとともに、運転者に対しても十分な涼風を送ることのできる作業車のキャビン用空調構造を提供する点にある。
【課題を解決するための手段】
【０００６】
（構成）  請求項１に係る発明の作業車のキャビン用空調構造は、前記空調ユニットの機体前方側で機体左右側方位置に、夫々前記空調ダクトを配置してある点にあり、その作用効果は次の通りである。
【０００７】
（作用効果）  空調ユニットの機体前方側に空調用のダクトを配置してある。これによって、空調ユニットをルーフ部の機体前方側に配置する必要はなく、前面ウインド位置を高く採ることができる。これによって、前方上方視界を良好なものにできたのである。
しかも、空調ダクトにおける空調ユニットの存在側に近い吹出口より吹き出した涼風を運転席に着座した運転者に作用させることができる。これによって、空調ユニットに近く送風抵抗の少ない吹出口から吹き出した涼風を運転者に十分作用させることができる。したがって、空調ユニットを空調用ダクトの後方に配置するだけの改良を施すだけで、運転者に作用させる涼風量の拡大を図ることができる。
【０００８】
（構成）  請求項２に係る発明の作業車のキャビン用空調構造は、キャビン内のルーフ部に、空調用のダクトと、空気に調整を加え前記空調ダクトにその調整済み空気を送り込む空調ユニットとを配置してある作業車のキャビン用空調構造であって、
前記空調ユニットの機体前方側で機体左右方向中間位置に、主空調ダクトを機体前後向姿勢で配置するとともに、前記主空調ダクトから左右方向に向けて枝空調ダクトを配置してある点にあり、その作用効果は次の通りである。
【０００９】
（作用効果）  空調ユニットの機体前方側に空調用のダクトを配置してある。これによって、空調ユニットをルーフ部の機体前方側に配置する必要はなく、前面ウインド位置を高く採ることができる。これによって、前方上方視界を良好なものにできたのである。
しかも、空調ダクトの構成として、機体左右方向中間位置に、主空調ダクトを機体前後向姿勢で配置することによって、左右両側方に夫々空調ダクトを配置する場合に比べて、空調ユニットから送り出される調整済み空気を一旦二つに分割する必要がなく、調整済み空気の全量を主空調ダクトに送り込むことができ、それだけ、送出圧の圧力低下を抑えて送り込むことができる。そして、主空調ダクトにおける空調ユニットの存在側に近い吹出口より吹き出した涼風を運転席の運転者に作用させることができる。これによって、空調ユニットに近く送風抵抗の少ない吹出口から吹き出した涼風を運転者に十分作用させることができる。したがって、空調ユニット位置を後方に配置するだけの改良を施すだけで、運転者に作用させる涼風量の拡大を図ることができる。
【００１０】
（構成）  請求項３に係る発明の作業車のキャビン用空調構造は、キャビン内のルーフ部に、空調用のダクトと、空気に調整を加え前記空調ダクトにその調整済み空気を送り込む空調ユニットとを配置してある作業車のキャビン用空調構造であって、
前記空調ユニットの機体前方側に、前記キャビンの左右側端又はその近傍に至る広幅のもので、かつ、前記キャビンの前端又はその近傍に至る長い空調ダクトを配置してある点にあり、その作用効果は次の通りである。
【００１１】
（作用効果）  空調ユニットの機体前方側に空調用のダクトを配置してある。これによって、空調ユニットをルーフ部の機体前方側に配置する必要はなく、前面ウインド位置を高く採ることができる。これによって、前方上方視界を良好なものにできたのである。
しかも、空調ダクトの構成として、前記キャビンの左右側端又はその近傍に至る広幅のもので、かつ、前記キャビンの前端又はその近傍に至る長い空調ダクト、つまり、ルーフ部の全面又は略全面を空調ダクトに形成することができた。これによって、空調ユニットの存在側に近い位置に運転者に涼風を送る為の吹出口を設けて、吹き出した涼風を運転席の運転者に十分に作用させることができる。しかも、ルーフ部の全面に亘ってダクトを形成してあるので、任意の位置に吹出口を設けることができ、運転者以外の同乗者の着座位置に合わせて吹出口を設けることができ、着座位置に合わせた吹出口の形成位置の自由度が高い。
【発明を実施するための最良の形態】
【００１２】
農用トラクタを作業車の一例として説明する。農用トラクタのキャビン１は、図１及び図２に示すように、骨組みを構成する枠組みフレームＢの縦向きフレーム２とその縦向きフレーム２で囲まれた部分を覆う透明ガラス面を備えた乗降用サイドドア３、後サイドウインド４、後面ウインドウ５とを備え、各縦向きフレーム２の上面に亘って設けてある環状のアッパーフレーム６とそのアッパーフレーム６に載置されるルーフ部７とで構成されている。
【００１３】
キャビン１内には、運転操縦部８が設けてあり、その運転操縦部８には、エンジンボンネット９側に位置するハンドルポスト１０に操縦ハンドル１１が設けてあり、ハンドルポスト１０の後方に運転席１２が配置してある。
ルーフ部７にはキャビン１内を空調する空調ユニットＡが配置してある。
【００１４】
〔第1実施形態〕
以後、空調ユニットＡの取り付け形態の違いに応じて説明していく。まず、第１実施形態として、図２及び図３に示すように、空調ユニットＡが、枠組みフレームＢを構成すべく縦向きフレーム２の上面に亘って設けてある環状のアッパーフレーム６の後端部の上方側に位置する状態で配置されているものについて説明する。ここに、環状のアッパーフレーム６におけるフード部７における後部に位置する後フレーム部分６Ｂを横フレームと称する。
【００１５】
空調ユニットＡを取り付ける枠組みフレームＢの構成について説明すると、図２に示すように、環状のアッパフレーム６における前後向きフレーム部分６Ａと横フレームとしての後フレーム部分６Ｂとの接続曲がり部分に左右の縦向きフレーム２、２を立設して後サイドウインド４の窓枠に兼用するとともに、両縦向きフレーム２、２に渡ってかつ後部フレーム部分６Ｂより一段下がった高さ位置に支持フレーム６Ｃを架設してある。
【００１６】
この支持フレーム６Ｃの上面とこの支持フレーム６Ｃを支える両隣の縦向きフレーム２、２との間に落としこむ状態で空調ユニットＡを載置してある。ここに、支持フレーム６Ｃを空調ユニット取付部分と称する。
図３に示すように、支持フレーム６Ｃの上面に左右一対のブラケット１６，１６が前後向き姿勢で取り付けられるとともに、前記ユニットケース２４で囲まれた空調ユニットＡが左右のブラケット１６，１６上にボルトで載置固定されている。
【００１７】
ルーフ部７の構成について説明する。
図３〜図５に示すように、ルーフ部７は、アウトルーフ部１３とインナールーフ部１４とからなり、夫々、アッパーフレーム６に取付支持されている。インナールーフ部１４は、樹脂の一体成形品であり、運転席１２の上方に位置する後半部は下向きに膨出した下り天井部に形成してあり、この下り天井部に空調ユニットＡを収納してある。
【００１８】
図２及び図３に示すように、アウトルーフ部１３は、アッパーフレーム６の上面に載置され、その載置面より広い平板状のものである。アウトルーフ部１３の下向き面には、リング状に形成した長方形断面のシールリング１９を装着してあり、アウトルーフ部１３をアッパーフレーム６上に載置した状態で、シールリング１９の断面の一部がそのアッパーフレーム６の上面に当接して、外部との空気の流通を遮断する。
【００１９】
図３〜図５に示すように、アウトルーフ部１３のアッパーフレーム６の両横側方に突出する横向き庇部１３Ｅの下向き面には外気導入口１３Ｂ、１３Ｂが形成してあるとともに、シールリング１９の内側に位置する部分に前記した外気導入口１３Ｂに連通する外気供給口１３Ｃを形成してある。図中３３は、外気導入口１３Ｂに設けてある防塵フィルタである。
外気導入口１３Ｂから取り入れた外気は、アウトルーフ部１３の二重壁内に形成した外気導入ダクトとしての連通路ｂを通して機体前方側に誘導され、前記連通路ｂの機体前方側に形成した外気供給口１３Ｃより後記する空調ユニットＡへ通ずる空間ａに吹き出すべく構成されている。
【００２０】
インナールーフ部１４の内部構造について説明する。図１〜図４に示すように、空調ユニットＡは、エバポレータ２０とその前方に位置するヒータ２１とを備え、エバポレータ２０は、図示していないコンプレサー、膨張弁、コンデンサー等と協働して冷媒循環回路を構成している。ヒータ２１はエンジンボンネット９内のラジエータ２２と配管で繋がっている。
エバポレータ２０の右側方には前記した外気供給口１３Ｃより取り込んだ外気をエバポレータ２０とヒータ２１に向けて送り込むシロッコファン２３が設けられてある。
【００２１】
外気供給口１３Ｃより導入された外気は、図３に示すように、アウトルーフ部１３の下向き面とインナールーフ部１４との間に形成された空間ａを流通路として、ユニットケース２４で囲まれたシロッコファン２３の誘導孔２４ａまで吸引誘導される。
【００２２】
図３〜図４に示すように、エバポレータ２０とシロッコファン２３とはユニットケース２４によって囲まれており、ユニットケース２４に連続する状態でエバポレータ２０の両側端から機体前方側に向けて、空調ユニットＡからの空調済み空気を左右横側端に誘導する横向き姿勢の後空調ダクト１５Ａを設けてあるとともに、後空調ダクト１５Ａの両側端より前方に向けて横空調ダクト１５Ｂ、１５Ｂが延出してある。
【００２３】
左右の横空調ダクト１５Ｂ、１５Ｂについて説明する。図３〜図５に示すように、左右各々の横空調ダクト１５Ｂ、１５Ｂには、内向きの吹出口１５ｂ、１５ｂが設けてあり、後側の吹出口１５ｂ、１５ｂが運転者の顔近くに適量の涼風を送る位置取りとなっている。一方、横空調ダクト１５Ｂ、１５Ｂの前端部には、キャビン１の前面ウインド２５に向けて空調風を吹き出す前下向きの吹出口１５ａ、１５ａ、その吹出口１５ａ、１５ａの後方にドアガラスに向けてデフロスト風を吹き出す吹出口１５ｄが形成されている。
【００２４】
図２及び図３に示すように、後空調ダクト１５Ａの両側端より後方側に向けて枝ダクト１５Ｃ、１５Ｃが延出してあり、延出端に後サイドウインド４、後面ウインド５に空調風を吹き出す吹出口１５ｃ、１５ｃが設けてある。上記した横空調ダクト１５Ｂ等はインナールーフ部１４内に位置しており、図５に示すように、インナールーフ部１４の両側端に形成してある下り天井部内に設けてある。
【００２５】
図３に示すように、インナールーフ部１４の空調ユニットＡの収納部より機体前方側には、キャビン内の空気を取り入れる為に、循環口１４Ａを備えている。循環口１４Ａは、下側インナールーフ部１４ｂの下り天井部を形成する傾斜面の上面から上向きにユニットケース２４に沿って壁面を立ち上げ、その立ち上げた部分１４ｃの上端における水平部分に形成されている。ここに、上側インナールーフ部１４ａの立ち上げ部分１４ｃを内気導入ダクトと称する。
【００２６】
一方、外気供給口１３Ｃと循環口１４Ａとは上下に向き合う状態に位置しており、両者の間には、外気供給口１３Ｃと循環口１４Ａを開閉する弁機構としては開閉弁体１７を設けてある。外気導入口１３Ｂを通して、外気をインナールーフ部１４とアウタルーフ部１３との間に形成した空間ａ内に取り込む状態と、外気を遮断しキャビン内の空気を前記空間ａとの間で循環させる状態とに切り換えるように構成してある。
弁機構としては、揺動式のものではなく、スライド式のものでもよい。また、図示はしていないが、弁機構を操作する切換操作レバーが運転席１２の上方近傍まで立ち下げて設けてある。
【００２７】
図３に示すように、インナールーフ部１４は、キャビン内の空気を取り入れる為に、循環口１４Ａを備えているが、その循環口１４Ａを形成している後上側インナールーフ部分１４ａとキャビン１の前部側に位置する前側インナールーフ部分１４ｂとを備えて構成されている。インナールーフ部１４は、機体前後方向での中間位置でアウタルーフ部１３に密着されており、密着された中間位置で後側インナールーフ部分１４ａと前側インナールーフ部分１４ｂとに隔離される。このような構成になる前側インナールーフ部分１４ｂの空間にＣＤラジカセ２９等を収納設置することによって、循環口１４Ａから取り入れた室内空気の背圧が直接ＣＤラジカセ２９等に作用せず、ＣＤラジカセ２９等が埃等を吸い込むことが少なくなる。
【００２８】
図３〜図５に示すように、空調ユニットＡの近くに外気導入口１３Ｂを配置してあるので、アウタルーフ部１３内に外気導入口１３Ｂに連通する状態で形成されている連通路ｂを短くすることができ、シロッコファン２３による吸入抵抗を低減できる。
【００２９】
支持フレーム６Ｃの後方側には支持カバー１８が延出してあり、空調ユニットＡをカバーしている。支持カバー１８の下面で支持フレーム部分６Ｃには、横軸芯Ｘ回りで後方揺動自在に後面ウインド５が支持されており、閉塞状態においては後面ウインド５の後方側への張出しが抑えられており、図示はしていないが、耕耘装置等を支持するリンク機構等との干渉を回避する構成を採ってある。
【００３０】
〔第２実施形態〕
次に、第２実施形態として、図６に示すように、空調ユニットＡが、環状のアッパーフレーム６の後端部より機体前方側に位置する状態で配置されているものについて説明する。
【００３１】
図６及び図７に示すように、空調ユニットＡを囲むように、アウトルーフ部１３とインナールーフ部１４とが配置され、アウトルーフ部１３の空調ユニットＡの前方側に外気供給口１３Ｃとこの外気供給口１３Ｃに外気を送り込む外気導入口１３Ｂがアウトルーフ部１３の機体後方に張出した庇部１３Ａの下向き面に設けてある。インナールーフ部１４には、外気供給口１３Ｃと相対向する状態でキャビン１内の空気を導入する循環口１４Ａを設けてあり、外気供給口１３Ｃと循環口１４Ａとの間に外気供給口１３Ｃと循環口１４Ａを開閉する弁機構としての開閉弁体１７を設けてある。外気導入口１３Ｂを通して、外気をインナールーフ部１４とアウタルーフ部１３との間に形成した空間ａ内に取り込む状態と、外気を遮断しキャビン内の空気を前記空間ａとの間で循環させる状態とに切り換えるように構成してある。
【００３２】
空間ａ内に取り込まれた空気は、空調ユニットＡのユニットケース２４の上面に形成した誘導孔２４ａを介してシロッコファン２３に吸入されて、エバポレータ２０等によって空調を受けた後に、空調ダクト１５Ａ、１５Ｂに押し込まれる。
図４に示すように、エバポレータ２０の両端より前記したように後空調ダクト部１５Ａが延出され、その後空調ダクト部１５Ａの両側端から機体前部に向けて横空調ダクト１５Ｂ、１５Ｂを延出してあり、第１実施形態と同様に、調整済み空気がキャビン１内に吹出供給されるのである。
【００３３】
次に、後サイドウインド４と後面ウインド５の取り付け構造について説明する。図７に示すものは、環状アッパフレーム６の後端部の機体前方側に空調ユニットＡを配置したものであり、空調ユニットＡを環状のアッパーフレーム６の後端部の機体前方側に配置する構成を採るために、環状のアッパーフレーム６の後端部を後面ウインド５の位置より後方に変位させて設けてある。このために、後面ウインド５と後サイドウインド４との境目に位置する縦向きフレーム２としてのリアピラーとアッパーフレーム６とを継ぎフレーム３０で連結して、フレーム同士の連結強度を高めている。尚、後面ウインド５は、アッパーフレーム６の後部フレーム部分６Ｂに取り付けたブラケット３１に枢支した揺動アーム３２によって後方に揺動開放可能に支持されている。
【００３４】
〔第３実施形態〕
次に、第３実施形態として、空調ユニットＡが、図８に示すように、横フレームとしての後部フレーム部分６Ｂに形成した吊り下げフレーム部分６Ｄの下方に配置されているものについて説明する。
空調ユニットＡを取り付ける枠組みフレームＢの構成について説明すると、図８及び図９に示すように、環状のアッパフレーム６における前後向きフレーム部分６Ａと後部フレーム部分６Ｂとの接続曲がり部分に左右の縦向きフレーム２、２を立設して後サイドウインド４の窓枠に兼用するとともに、両縦向きフレーム２、２に渡ってかつ後部フレーム部分６Ｂより一段上がった高さ位置に吊り下げフレーム部分６Ｄを架設してある。
【００３５】
この吊り下げフレーム部分６Ｄの下面とこの吊り下げフレーム部分６Ｄを支える両隣の縦向きフレーム２、２との間に潜りこませる状態で空調ユニットＡを吊り下げ支持してある。ここに、吊り下げフレーム部分６Ｄを空調ユニット取付部分と称する。
図９に示すように、吊り下げフレーム部分６Ｄの下面に左右一対のブラケット２７を前後向き姿勢で取り付けるとともに、ユニットケース２４で囲まれた空調ユニットＡを左右のブラケット２７，２７にボルトで固定するように構成してある。
【００３６】
図９に示すように、空調ユニットＡを囲むように、アウトルーフ部１３とインナールーフ部１４とを配置してあり、アウトルーフ部１３の空調ユニットＡの前方側に外気供給口１３Ｃと、この外気供給口１３Ｃに外気を送り込む外気導入口（図示せず）がアウトルーフ部１３の機体横側方に張出した庇部（図示せず）に設けてある。インナールーフ部１４には、外気供給口１３Ｃと相対向する状態でキャビン１内の空気を導入する循環口１４Ａを設けてあり、外気供給口１３Ｃと循環口１４Ａとの間に外気供給口１３Ｃと循環口１４Ａを開閉する弁機構としての開閉弁体１７を設けてある。外気導入口１３Ｂを通して、外気をインナールーフ部１４とアウタルーフ部１３との間に形成した空間ａ内に取り込む状態と、外気を遮断しキャビン１内の空気を前記空間ａとの間で循環させる状態とに切り換えるように構成してある。
【００３７】
空間ａ内に取り込まれた空気は、空調ユニットＡのユニットケース２４の上面に形成した誘導孔（図示せず）を介してシロッコファン２３に吸入されて、エバポレータ２０等によって空調を受けた後に、空調ダクト１５Ａ、１５Ｂに押し込まれる。
図４に示すように、エバポレータ２０の両端より前記したように、後空調ダクト部１５Ａが延出され、その後空調ダクト部１５Ａの両側端から機体前部に向けて横空調ダクト１５Ｂ、１５Ｂを延出してあり、第２実施形態と同様に、調整済み空気がキャビン１内に吹出供給されるのである。
【００３８】
図９に示すように、インナールーフ部１４の縦向きフレーム２より後方に張出した部分の下面には後面ウインド５が支持されており、後方側への張出しを抑えて、図示はしていないが、耕耘装置等を支持するリンク機構等との干渉を回避する構成を採ってある。
【００３９】
〔第４実施形態〕
次に、第４実施形態として、空調ユニットＡが、図１０に示すように、横フレームとしての後部フレーム部分６Ｂの更に後方に配置されているものについて説明する。
空調ユニットＡを取り付ける枠組みフレームＢの構成について説明すると、図１０及び図１１に示すように、環状のアッパフレーム６における前後向きフレーム部分６Ａと後部フレーム部分６Ｂとの接続曲がり部分に左右の縦向きフレーム２、２を立設して後サイドウインド４の窓枠に兼用する。
【００４０】
図１１に示すように、後部フレーム部分６Ｂの下面に左右一対のブラケット２７を前後向き姿勢で取り付けるとともに、前記ユニットケース２４で囲まれた空調ユニットＡを左右のブラケット２７，２７にボルトで固定するように構成してある。
図１１に示すように、後部フレーム部分６Ｂに取り付けた空調ユニットＡを囲むように、後部カバー２８をその後部フレーム部分６Ｂに取り付けて設けるとともに、後部フレーム部分６Ｂに支持する状態でアウトルーフ部１３を設け、後部カバー２８に支持する状態でインナールーフ部１４を配置してある。
【００４１】
アウトルーフ部１３には外気供給口１３Ｃが設けてあり、この外気供給口１３Ｃに外気を送り込む外気導入口（図示せず）がアウトルーフ部１３の機体横側方に張出した庇部（図示せず）に設けてある。インナールーフ部１４には、外気供給口１３Ｃと相対向する状態でキャビン１内の空気を導入する循環口１４Ａが設けてあり、外気供給口１３Ｃと循環口１４Ａとの間に外気供給口１３Ｃと循環口１４Ａを開閉する弁機構としての開閉弁体１７が設けてある。外気導入口１３Ｂから導入した外気をインナールーフ部１４とアウタルーフ部１３との間を通して後部カバー部２８の内部空間ａ内に取り込む状態と、外気を遮断しキャビン内の空気を前記内部空間ａとの間で循環させる状態とに開閉弁体１７が切り換えるように構成してある。図中ｂは外気導入ガイドであり、１４ｃは内気導入ガイドである。
【００４２】
空間ａ内に取り込まれた空気は、空調ユニットＡのユニットケース２４の上面に形成した誘導孔２４ａを介してシロッコファン２３に吸入されて、エバポレータ２０等によって空調を受けた後に、空調ダクト１５Ａ、１５Ｂに押し込まれる。
図４に示すように、エバポレータ２０の前方に、後空調ダクト部１５Ａが配置され、その後空調ダクト部１５Ａの両側端から機体前部に向けて横空調ダクト１５Ｂ、１５Ｂを延出してあり、第１から３の実施形態と同様に、調整済み空気がキャビン１内に吹出供給されるのである。
インナールーフ部１４と後部カバー部２８との接続部位の下面には後面ウインド５が支持されており、後方側への張出しを抑えて、図示はしていないが、耕耘装置等を支持するリンク機構等との干渉を回避する構成を採ってある。
【００４３】
〔別実施の形態〕
以下に、記載する別実施構造については、上記した第１実施形態から第４実施形態に適用するものとする。
（１）空調ダクト１５の別実施構造について説明する。ここでは、キャビン１内のルーフ部７の左右中央にダクト１５を配置するものについて説明する。図１２に示すように、エバポレータ２０とシロッコファン２３とはユニットケース２４によって囲まれており、ユニットケース２４に連続する状態でエバポレータ２０の両側端から機体前方側に向けて、空調ユニットＡからの空調済み空気を左右横側端に誘導する横向き姿勢の後空調ダクト１５Ａを設けてあるとともに、後空調ダクト１５Ａの左右中心部より前方に向けて主空調ダクトとしての中央空調ダクト１５Ｅが延出してある。
図１２に示すように、中央空調ダクト１５Ｅには、前後中間位置に左右向きに張出す枝空調ダクトとしての左右の中間枝空調ダクト１５Ｆ、１５Ｆが設けてあり、中間枝空調ダクト１５Ｆの更に前方側に左右一杯に広がる前空調ダクト１５Ｇ、１５Ｇが設けてある。左右の中間枝空調ダクト１５Ｆ、１５Ｆには、夫々、吹出口１５ｆ、１５ｆが設けられており、吹出口１５ｆ、１５ｆは、後ろ向きに空調風を吹き出して運転者の顔近くに適量の涼風を送る位置取りを行っている。一方、前空調ダクト１５Ｇ、１５Ｇには、キャビン１の前面ウインド２５に向けて空調風を吹き出す前下向きの前吹出口１５ａ、１５ａが設けられており、その前吹出口１５ａ、１５ａの後方にドアガラスに向けてデフロスト風を吹き出す吹出口１５ｄが設けられている。
図１２に示すように、後空調ダクト１５Ａの両側端より後方側に向けて枝ダクト１５Ｃ、１５Ｃが延出してあり、延出端に後サイドウインド４、後面ウインド５に空調風を吹き出す吹出口１５ｃ、１５ｃが設けてある。
【００４４】
（２）空調ダクト１５の別実施構造について説明する。ここでは、キャビン１内のルーフ部７における全面に亘ってダクト１５を配置するものについて説明する。図１３及び図１４に示すように、エバポレータ２０とシロッコファン２３とはユニットケース２４によって囲まれており、ユニットケース２４に連続する状態でエバポレータ２０の両側端から機体前方側に向けて、空調ユニットＡからの空調済み空気を機体前方側に誘導する全面空調ダクト１５Ｈを設けてある。
図１３に示すように、全面空調ダクト１５Ｈには、前後中間位置に、吹出口１５ｆ、１５ｆが設けられており、吹出口１５ｆ、１５ｆは、後ろ向きに空調風を吹き出して運転者の顔近くに適量の涼風を送る位置に設けられている。一方、キャビン１内には、キャビン１の前面ウインド２５に向けて空調風を吹き出す前下向きの吹出口１５ａ、１５ａが設けられており、その吹出口１５ａ、１５ａの後方にドアガラスに向けてデフロスト風を吹き出す吹出口１５ｄ、１５ｄが設けられている。
図１３に示すように、全面空調ダクト１５Ｈの両側端に、後サイドウインド４、ドアガラス等に空調風を吹き出す吹出口１５ｂ、１５ｂが設けてある。このように略全面に亘って空調ダクト１５を設置することによって、任意の位置に吹出口を設けることができる利点がある。
このような構成を採る全面ダクト１５Ｈに外部空気を導入する構造としては、図１３及び図１４に示すように、アウタールーフ部１３の機体横側方側に張出した庇部１３Ｅに外気導入口１３Ｂを形成して構築してある。
【００４５】
（３）  図示してはいないが、左右の横空調ダクト１５Ｂ、１５Ｂと後空調ダクト１５Ａとの接続部に蛇腹状の繋ぎ部を設けてもよい。そうすると、ダクト自体の伸縮及び製作誤差等を吸収できて、接続状態が安定する。
【００４６】
（４）  図１３に示すように、エバポレータ２０から排出される結露水を逃がす為に、ユニットケース２４からホース２６を延出し、そのホース２６をユニットケース２４に隣接する縦向きフレーム２内を通して機外に排出するように構成する。
【００４７】
（５）  つぎに、アッパフレーム６を空調ダクト１５として使用する形態について説明する。図１５に示すように、アウトルーフ部１３の後向き庇部（図示せず）に外気導入口（図示せず）を形成するとともに、アウトルーフ部１３の連通路ｂからインナールーフ部１４との間に形成した空間ａ内に取り込み、誘導孔２４ａを通して、空調ユニットＡに導入する。図１５に示すように、導入された外気及び内気は、空調ユニットＡで調整された状態でユニットケース２４の出口２４Ａから送り出される。その出口２４Ａをアッパフレーム６の内部空間に連通させて、アッパフレーム６の前後向きフレーム部分６Ａを空調ダクト１５に構成する。
したがって、図１５に示すように、前後向きフレーム部分６Ａの内向き面に空調済み空気の吹出口６ａ、６ａを設けて、アッパフレーム６を空調ダクトに兼用したので、別個に空調ダクトを構成する必要はない。
空調ユニットＡを支持する形態は、第１実施形態と同様である。
【００４８】
（６）  キャビン１の枠組み構成としては、つぎのようなものでもよい。図１６（イ）（ロ）に示すように、枠組みフレームＢにおける前面ウインドウ２５を支持する左右の前支柱２，２をアッパフレーム６の左右前向きフレーム部分６Ａ、６Ａより上方まで延出し、それら前支柱２，２の上端同士を連結する左右向き前上フレーム部分６Ｅを左右前向きフレーム部分６Ａ、６Ａより上方に位置するように設置する。これによって、左右前向きフレーム部分６Ａ、６Ａが上方に位置することになるので、それだけ、前面ウインドウ２５を上方まで高く設置することができ、運転操縦者への視界の良好拡大化を図ることができる。
図１７（イ）（ロ）に示すように、前支柱２，２を上端部分２Ａ，２Ａが後傾姿勢となるように曲げ加工を施して、前支柱２，２を下端部分に比べて後端部分２Ａが機体後方側に位置するように構成し、その前支柱２，２の上端同士に亘って前上フレーム部分６Ｅを架設し、前上フレーム部分６Ｅと左右前向きフレーム部分６Ａ、６Ａとを同一高さ位置に設定してある。
このような構成によって、前上フレーム部分６Ｅを前支柱２，２の下端部に比べて後方に位置させることができ、運転操縦者の見上げ視界を広角にできて上方まで視認することが容易になる。
【００４９】
（７）  アウタールーフ部１３としては、アッパーフレーム６より横側方又は前後方向にはみだす庇部を形成して、ガラス面の大きなキャビンに直射日光が入るのを阻止する構成を採っても良い。
【００５０】
（８）  上記実施の態様においては、農用トラクタに本発明を利用した形態について説明したが、コンバイン等の他の農機や建機に適用してもよい。
【００５１】
（９）  横空調ダクト１５Ｂは左右の一方にだけ設けるものでもよい。
【図面の簡単な説明】
【００５２】
【図１】トラクタの全体側面図
【図２】第１実施形態における枠組みフレームを示す斜視図
【図３】第１実施形態におけるキャビン内の縦断側面図
【図４】図２におけるインナールーフ部のアウタールーフ側から見た内面を示す横断平面図
【図５】ルーフ部の横側部に配置されたダクトを示す正面図
【図６】第２実施形態における枠組みフレームを示す斜視図
【図７】第２実施形態における空調ユニットの取付構造を示す縦断側面図
【図８】第３実施形態における枠組みフレームを示す斜視図
【図９】第３実施形態における空調ユニットの取付構造を示す縦断側面図
【図１０】第４実施形態における枠組みフレームを示す斜視図
【図１１】第４実施形態における空調ユニットの取付構造を示す縦断側面図
【図１２】空調ダクトの別実施形態を示す横断平面図
【図１３】空調ダクトの別実施形態を示す横断平面図
【図１４】図１３における空調ダクトの配置構成を示す背面図
【図１５】アッパーフレームをダクトに兼用した状態を示す縦断側面図
【図１６】（イ）  前支柱の上端を前後向きフレームより高くした状態を示す斜視図（ロ）  （イ）における操縦者の前方上方視界を示す原理図
【図１７】（イ）  前支柱の上端を前後向きフレームの前端より後方に位置させた状態を示す斜視図（ロ）  （イ）における操縦者の前方上方視界を示す原理図
【符号の説明】
【００５３】
１                キャビン
７                ルーフ部
１５              空調用のダクト
１５Ｂ            横空調ダクト
１５Ｅ            主空調ダクト
１５Ｆ            枝空調ダクト
１５Ｈ            全面空調ダクト
Ａ                空調ユニット
【図１】
2007062574.tif 000003
【図２】
2007062574.tif 000004
【図３】
2007062574.tif 000005
【図４】
2007062574.tif 000006
【図５】
2007062574.tif 000007
【図６】
2007062574.tif 000008
【図７】
2007062574.tif 000009
【図８】
2007062574.tif 000010
【図９】
2007062574.tif 000011
【図１０】
2007062574.tif 000012
【図１１】
2007062574.tif 000013
【図１２】
2007062574.tif 000014
【図１３】
2007062574.tif 000015
【図１４】
2007062574.tif 000016
【図１５】
2007062574.tif 000017
【図１６】
2007062574.tif 000018
【図１７】
2007062574.tif 000019